(57)【特許請求の範囲】
【請求項１】
光透過性を有し、かつサンプルを付着させるための粘着面部を有するフィルム体およびこのフィルム体を保持するホルダからなるセルと、このセルに対して光を照射する照射部と、この照射部からの光が前記サンプルに照射されることによって生じる二次光を検出する検出手段とを備えた粒子径分布測定装置であって、前記フィルム体を複数枚貼り合わせた状態でホルダに保持することを特徴とする粒子径分布測定装置。
【請求項２】
光透過性を有し、かつサンプルを付着させるための粘着面部を有するフィルム体およびこのフィルム体を保持するホルダからなるセルと、このセルに対して光を照射する照射部と、この照射部からの光が前記サンプルに照射されることによって生じる二次光を検出する検出手段とを備えた粒子径分布測定装置に用いるサンプリング方法であって、前記フィルム体を複数枚貼り合わせた状態でホルダに保持させ、測定毎に使用済みのフィルム体を剥がし、新たに測定に用いるフィルム体にサンプルを付着させるようにしたことを特徴とする粒子径分布測定装置に用いるサンプリング方法。
【請求項３】
光透過性を有し、かつサンプルを付着させるための粘着面部を有するフィルム体およびこのフィルム体を保持するホルダからなるセルと、このセルに対して光を照射する照射部と、この照射部からの光が前記サンプルに照射されることによって生じる二次光を検出する検出手段とを備えた粒子径分布測定装置に用いるサンプリングシートであって、複数枚の前記フィルム体を貼り合わせてなり、前記ホルダに保持された状態で使用され、測定毎に使用済みのフィルム体を剥がし、新たに露出したフィルム体にサンプルを付着させるようにしてあることを特徴とする粒子径分布測定装置に用いるサンプリングシート。
【発明の詳細な説明】
【０００１】
【発明の属する技術分野】
本発明は、粒子径分布測定装置ならびに粒子径分布測定装置に用いるサンプリング方法およびサンプリングシートに関するものである。
【０００２】
【従来の技術】
粒子の測定技術は、薬品、食品、セラミックス、化粧品、塗料、色素など広い分野にわたって、粉粒体の性能を決定し、また、評価する上で不可欠であり、その重要性は日増しに高まっている。このような粉粒体の粒子径の分布を測定する装置の一つに、レーザ光回折／散乱式粒子径分布測定装置がある。
【０００３】
そして、前記レーザ光回折／散乱式粒子径分布測定装置として、サンプルを分散媒中に分散させた状態で循環させる循環手段と、循環するサンプルが通過するように構成されたフロー式セルと、このセルに対して光を照射する照射部と、この照射部からの光が前記サンプルに照射されることによって生じる二次光を検出する検出手段とを備えたフロー式測定に用いられるものがある。
【０００４】
【発明が解決しようとする課題】
しかし、上記の構成からなるフロー式測定に用いられる粒子径分布測定装置では、サンプルが比重の大きい粒子など循環しにくい粒子を含む場合、比重の小さい粒子だけが測定されてしまい、正確な粒子径分布が得られないという問題があった。
【０００５】
また、前記レーザ光回折／散乱式粒子径分布測定装置として、サンプルを分散媒中に分散させた状態で収容するバッチ式セルと、このセルに対して光を照射する照射部と、この照射部からの光が前記サンプルに照射されることによって生じる二次光を検出する検出手段とを備えたバッチ式測定に用いられるものがあるが、この粒子径分布測定装置でも、上記フロー式測定に用いられる粒子径分布測定装置と同様に、サンプルが比重の大きい粒子など分散媒中で沈みやすい粒子を含む場合、比重の小さい粒子だけが測定されてしまい、正確な粒子径分布が得られないという問題があった。
【０００６】
さらに、他のレーザ光回折／散乱式粒子径分布測定装置として、高粘度の媒質と混ぜた状態のサンプルを２枚のプレートで挟み込むペースト式セルと、このセルに対して光を照射する照射部と、この照射部からの光が前記サンプルに照射されることによって生じる二次光を検出する検出手段とを備えたペースト式測定に用いられるものがあるが、このタイプの粒子径分布測定装置では、サンプルの調製が非常に面倒であり、また、前記媒質とサンプルとを最適な割合で混ぜ合わせ、２枚のプレートで挟み込まねばならず、そのような作業には熟練した技術を要するという問題があった。
【０００７】
また、別のレーザ光回折／散乱式粒子径分布測定装置として、カップに粉粒状であるサンプルを投入し、前記カップに振動を加えながら吸引機により前記サンプルを吸い込み、サンプルがセルを通過する間に測定を行う乾式測定に用いられるものがあるが、このタイプの粒子径分布測定装置では、多量のサンプルが必要となるばかりではなく、前記吸引機などの大がかりな装置が必要であった。
【０００８】
本発明は、上述のような課題を考慮に入れてなされたものであって、その目的は、比重の大きい粒子を含むサンプルの測定を正確に行うことができ、また、サンプルを測定可能な状態にするための準備を簡単にかつ短時間で行うことができるとともに、その準備に大がかりな装置を必要とせず、さらに、少量のサンプルのみで測定を行うことができる粒子径分布測定装置ならびに粒子径分布測定装置に用いるサンプリング方法およびサンプリングシートを提供することである。
【０００９】
【課題を解決するための手段】
上記目的を達成するために、本発明の粒子径分布測定装置は、光透過性を有し、かつサンプルを付着させるための粘着面部を有するフィルム体およびこのフィルム体を保持するホルダからなるセルと、このセルに対して光を照射する照射部と、この照射部からの光が前記サンプルに照射されることによって生じる二次光を検出する検出手段とを備えた粒子径分布測定装置であって、前記フィルム体を複数枚貼り合わせた状態でホルダに保持する（請求項１）。
【００１０】
また、本発明の粒子径分布測定装置に用いるサンプリング方法は、光透過性を有し、かつサンプルを付着させるための粘着面部を有するフィルム体およびこのフィルム体を保持するホルダからなるセルと、このセルに対して光を照射する照射部と、この照射部からの光が前記サンプルに照射されることによって生じる二次光を検出する検出手段とを備えた粒子径分布測定装置に用いるサンプリング方法であって、前記フィルム体を複数枚貼り合わせた状態でホルダに保持させ、測定毎に使用済みのフィルム体を剥がし、新たに測定に用いるフィルム体にサンプルを付着させるようにした（請求項２）。
【００１１】
さらに、本発明の粒子径分布測定装置に用いるサンプリングシートは、光透過性を有し、かつサンプルを付着させるための粘着面部を有するフィルム体およびこのフィルム体を保持するホルダからなるセルと、このセルに対して光を照射する照射部と、この照射部からの光が前記サンプルに照射されることによって生じる二次光を検出する検出手段とを備えた粒子径分布測定装置に用いるサンプリングシートであって、複数枚の前記フィルム体を貼り合わせてなり、前記ホルダに保持された状態で使用され、測定毎に使用済みのフィルム体を剥がし、新たに露出したフィルム体にサンプルを付着させるようにしてある（請求項３）。
【００１２】
上記の構成からなる本発明では、比重の大きい粒子を含むサンプルの測定を正確に行うことができ、また、サンプルを測定可能な状態にするための準備を簡単にかつ短時間で行うことができるとともに、その準備に大がかりな装置を必要とせず、さらに、少量のサンプルのみで測定を行うことができる粒子径分布測定装置ならびに粒子径分布測定装置に用いるサンプリング方法およびサンプリングシートを提供することが可能となる。
【００１３】
【発明の実施の形態】
以下、本発明の実施例を、図を参照しながら説明する。
図１は、本発明の一実施例に係る粒子径分布測定装置Ｄの構成を概略的に示す説明図、図２（Ａ）および（Ｂ）は、セル３の構成を概略的に示す斜視図および縦断面図である。
粒子径分布測定装置Ｄは、いわゆる乾式測定、すなわち、粉粒体であるサンプル粒子を乾燥した自然な状態のままで行う粒子径分布測定に用いられるものである。
【００１４】
そして、前記粒子径分布測定装置Ｄは、光透過性を有し、かつサンプルＳを付着させるための粘着面部１ａを有するフィルム体１およびこのフィルム体１を保持するホルダ２からなるセル（以下、セルという）３と、このセル３に対して光を照射する照射部４と、この照射部４からの光が前記サンプルＳに照射されることよって生じる二次光（回折光および／または散乱光）を検出する検出手段５とを備えている。
【００１５】
なお、上記粒子径分布測定装置Ｄは、前記セル３内のサンプルＳにレーザ光を照射し、サンプルＳによって回折および／または散乱されたレーザ光を検出手段５によって検出し、これによって得られる回折および／または散乱光の強度分布を、フランホーファ回折やミー散乱理論に基づいて処理し、サンプルＳの粒子径分布を求めるレーザー回折／散乱式粒子径分布測定装置である。
【００１６】
前記フィルム体１は、薄膜状、フィルム状またはシート状をしており、その前面中央部に前記粘着面部１ａが形成されている。なお、前記粘着面部１ａが形成される範囲は、フィルム体１の前面中央部に限られない。
【００１７】
前記粘着面部１ａは、例えば、粉粒状のサンプルＳをフィルム体１に付着させるための光透過性を有する接着剤などをフィルム体１に塗布や吹き付けすることで形成されている。
【００１８】
前記ホルダ２は、光透過性を有する材料から形成されており、その平面視がほぼ矩形状または正方形状をしている。また、ホルダ２は、前記フィルム体１が固定される肉薄部２ａと、この肉薄部２ａの下側および左右両側の何れか一方とにわたって連設される肉厚部２ｂとを有している。なお、前記ホルダ２の全体が光透過性を有する材料から形成されてなくてもよく、例えば、前記肉薄部２ａのみが光透過性を有する材料によって形成されていてもよい。
【００１９】
そして、複数枚（数枚〜数十枚、例えば、１０枚程度）の前記フィルム体１，１…が貼り合わされてサンプリングシートＡが形成されるのであり、前記サンプリングシートＡは、前記ホルダ２に保持された状態で使用される。すなわち、各フィルム体１は、その前面に形成された粘着面部１ａを介して他のフィルム体１が前側に着脱自在に接着された状態とされ、最も後側にあるフィルム体１は、例えば、光透過性を有する接着剤２ｃを介して前記ホルダ２の肉薄部２ａに固定される。なお、各フィルム１には、前記粘着面部１ａが形成されない剥がし代１ｂがその縁部（角部または端部）の少なくともいずれか一か所に設けられており、前記剥がし代１ｂを摘んで引っ張ることで、フィルム体１を別のフィルム体１から簡単に剥がすことができる。
【００２０】
なお、前記剥がし代１ｂをフィルム体１の縁部から外側へ突出させた状態で設けるようにしてもよい。
【００２１】
前記照射部４は、レーザ光を水平方向に発するレーザ光源６と、このレーザ光源６から発せられる発散性のレーザ光を収斂する集光レンズ７と、この集光レンズ７を経て収斂されたレーザ光（以下、集光レーザ光という）を９０度曲げて前記セル１に照射するミラー８と、このミラー８を保持し、自動制御されるレーザ光軸調整機構９とを有している。
【００２２】
前記検出手段５は、光検出器１０（リングディテクタ）と、広角散乱光用検出群１１とを有している。
【００２３】
前記光検出器１０は、前記セル３を通過した集光レーザ光が焦点を結ぶ位置に設けられており、集光レンズ光の光軸を中心として互いに半径の異なるリング状または半リング状の受光面をもつフォトセンサ（図示せず）を複数個同心状に配列したもので、セル３内のサンプルＳによって回折および／または散乱した集光レーザ光のうち、比較的小さい角度で回折／散乱した光を各散乱角ごとにそれぞれ受光して、それらの光強度を測定するものである。
【００２４】
そして、前記光検出器１０を構成する各フォトセンサには、その出力を増幅するプリアンプ１２が接続されている。
【００２５】
前記広角散乱光用検出群１１は、前記セル３の近傍に設けられており、セル３内のサンプルＳによって回折および／または散乱した集光レーザ光のうち比較的大きい角度で回折および／または散乱した光を、各散乱角ごとに個別に検出するものである。
【００２６】
そして、前記広角散乱光検出群１１は、光検出器１０と異なる角度で設けられる複数のフォトセンサ１３〜１８からなり、それぞれの配設角度に応じて、セル１内のサンプルＳによる所定角度の散乱光を検出する。すなわち、フォトセンサ１３〜１６は前方散乱光を、フォトセンサ１７は側方散乱光を、フォトセンサ１８は後方散乱光をそれぞれ検出する。
【００２７】
前記フォトセンサ１３〜１８にはそれぞれ、各フォトセンサ１３〜１８の出力を増幅するプリアンプ１９が接続されている。
【００２８】
また、前記広角散乱光検出群１１（フォトセンサ１３〜１８）の前面側（光入射側）には、互いに平行である２枚の光遮蔽板２０，２１が立設されており、これらの光遮蔽板２０，２１には、フォトセンサ１３〜１８に対して特定の散乱角度の散乱光のみを通過させるための複数の開口，例えばスリット２２，２３が、エッチングなどの手法によってそれぞれ開設されている。
【００２９】
なお、例えば、前方散乱光を検出する一つのフォトセンサ１３に対応するスリット２２，２３は、必ずしも同じ形状，大きさでなく、セル３からの前方散乱光のうち、所定の散乱角の散乱光のみをフォトセンサ１３に入射するように相互の位置が設定されている。このことは、他のフォトセンサ１４〜１８に対応するスリット２２，２３についても同様である。
【００３０】
前記プリアンプ１２，１９には、プリアンプ１２，１９からの出力を順次取り込み、ＡＤ変換器２５に順次送出するマルチプレクサ２４が接続されており、前記ＡＤ変換器２５には、ＡＤ変換器２５の出力が入力される演算処理装置としてのコンピュータ２６が接続されている。
【００３１】
前記コンピュータ２６は、デジタル信号に変換された光検出器１０およびフォトセンサ１３〜１８の出力（光強度に関するデジタルデータ）を、フラウンホーファ回折理論やミー散乱理論に基づいて処理し、粒子群における粒子径分布を求めるプログラムが格納されている。また、コンピュータ２６には、演算結果などを表示するカラーディスプレイ２７が接続されている。
【００３２】
上述のように構成された粒子径分布測定装置Ｄでは、セル３内のサンプルＳに照射された集光レーザ光は、セル３内のサンプルＳによって回折および／または散乱し、その回折光および／または散乱光のうち、比較的散乱角の小さい光は光検出器１０上に結像される。
【００３３】
この際、光検出器１０のうち、外周側のフォトセンサが散乱角の大きい光を受光し、内周側のフォトセンサが散乱角の小さい光を受光する。従って、外周側のフォトセンサの検出する光強度は粒子径のより小さいサンプル粒子の量を反映しており、内周側のフォトセンサの検出する光強度は粒子径のより大きいサンプル粒子の量を反映していることになる。これらの各フォトセンサが検出した光強度はアナログ電気信号に変換され、さらにプリアンプ１２を経てマルチプレクサ２４に入力される。
【００３４】
一方、前記サンプル粒子によって回折および／または散乱した集光レーザ光のうち、比較的散乱角の大きい光は、光遮蔽板２０，２１にそれぞれ形成されたスリット２２，２３によって制限され、特定の散乱角度の散乱光のみがフォトセンサ１３〜１８にそれぞれ入射し、その光強度分布が測定される。
【００３５】
この際、前方散乱光用フォトセンサ１３〜１６、側方用散乱光フォトセンサ１７、後方散乱光用フォトセンサ１９の順に、粒子径の大きいサンプル粒子からの散乱光を検出する。そして、これらの各フォトセンサ１３〜１８が検出した光強度はアナログ電気信号に変換され、さらにプリアンプ１９を経てマルチプレクサ２４に入力される。
【００３６】
そして、マルチプレクサ２４においては、光検出器１０およびフォトセンサ１３〜１８からの測定データ、つまりアナログ電気信号が所定の順序で順次取り込まれ、かつ、直列信号にされて、ＡＤ変換器２５で順次デジタル信号に変換され、さらにコンピュータ２６に入力されて、光検出器１０およびフォトセンサ１３〜１８によってそれぞれ得られた各散乱角ごとの光強度データが、フラウンホーファ回折理論やミー散乱理論に基づいて処理され、その処理結果がカラーディスプレイ２７に表示されるのである。
【００３７】
このように、上記粒子径分布測定装置Ｄにおいては、粒子径の大きい粒子径範囲についての散乱光の光強度分布については、光検出器１０によって測定し、粒子径の小さい粒子径範囲についての広角の散乱光の光強度分布については、フォトセンサ１３〜１８によって測定し、これらの光検出器１０およびフォトセンサ１３〜１８の出力をコンピュータ２６において処理しているので、粒子群における粒子径分布を、粒子径の比較的大きなものから微小なものまで広い範囲にわたって一挙に求めることができる。
【００３８】
図３は、セルホルダ３０の構成を概略的に示す斜視図である。
前記粒子径分布測定装置Ｄには、前記セル３を保持する保持部２８と、前記セル３を保持部２８とともに、前記照射部４から照射される光の光軸を法線とする平面上で移動させるための移動機構２９とを有するセルホルダ３０が設けられている。なお、前記セルホルダ３０は、光学ベンチベース３１（図１参照）の上面に立設保持されている。
【００３９】
前記保持部２８は、断面がコの字形状、正面視がＬ字形状をしており、前記セル３が載置される載置部分３２と、前記セル２にその一方側から当接する３つの当接体３３，３３，３３とを備えている。
【００４０】
前記載置部分３２は、互いに平行に設けられ、それぞれの正面視がほぼＬ字形状をしている２つの側壁部３２ａ，３２ａと、これら２つの側壁部３２ａ，３２ａの間に設けられる隙間形成部３２ｂとからなる。
【００４１】
前記当接体３３は、前記載置部分３２の一方の側壁部３２ａに形成された雌ねじ孔３２ｃに螺合する雄ねじ部（図示せず）を有しており、当接体３３のハンドル部３３ａを一方に回転させることで、当接体３３を他方の側壁部３２ａに対して近づく方向に移動させることができ、また、ハンドル部３３ａを他方に回転させることで、当接体３３を他方の側壁部３２ａから遠ざかる方向に移動させることができる。
【００４２】
前記３つの当接体３３は、全て一方の側壁部３２ａに対して設けられており、例えば、一方の側壁部３２ａの両端部と中央部とに配置されている。
【００４３】
上記の構成からなる保持部２８に対してセル３を固定するには、まず、セル３を載置部分３２に載置し、この状態で、セル３の肉厚部２ｂに対して３つの当接体３３，３３，３３が当接するように移動させればよく、これによって、セル３は、載置部分３２において、３つの当接体３３，３３，３３と他方の側壁部３２ａとで挟まれた状態となって保持されることになる。
【００４４】
前記移動機構２９は、前記セル３を、前記照射部４から照射される光の光軸を法線とする平面上において一方向（例えば、上下方向または鉛直方向、以下、Ｘ方向という）に移動させるための第一機構３４と、前記セル３を、前記照射部４から照射される光の光軸を法線とする平面上において前記Ｘ方向と垂直な他方向（例えば、セル３の左右・幅方向または水平方向、以下Ｙ方向という）に移動させるための第二機構３５とからなる。
【００４５】
前記第一機構３４は、前記保持部２８に突設され、前記Ｘ方向に設けられた雌ねじ孔３６ａおよび貫通孔３６ｂを有する突設部３６と、前記雌ねじ孔３６ａに螺合する雄ねじ体３７と、前記貫通孔３６ｂを挿通するガイド体３８と、このガイド体３８の外周に保持され、前記突設部３６をガイド体３８の長さ方向に付勢する付勢手段（例えば、スプリング）３９と、前記雄ねじ体３７をその軸心回りに回転させるための駆動手段（例えば、ステッピングモータ）４０と、前記ガイド体３８の両端が連結されるとともに、前記雄ねじ体３７をその軸心回りに回転可能に保持する本体４１とからなる。なお、前記本体４１には、駆動手段４０も固定されている。
【００４６】
前記第二機構３５は、前記第一機構３４の本体４１に突設され、前記Ｙ方向に設けられた雌ねじ孔４２ａおよび貫通孔４２ｂを有する突設部４２と、前記雌ねじ孔４２ａに螺合する雄ねじ体４３と、前記貫通孔４２ｂを挿通するガイド体４４と、このガイド体４４の外周に保持され、前記突設部４２をガイド体４４の長さ方向に付勢する付勢手段（例えば、スプリング）４５と、前記雄ねじ体４３をその軸心回りに回転させるための駆動手段（例えば、ステッピングモータ）４６と、前記ガイド体４４の両端が連結されるとともに、前記雄ねじ体４３をその軸心回りに回転可能に保持し、かつセルホルダ３０の架台部ともなる本体４７とからなる。なお、前記本体４７には、駆動手段４６も固定されている。
【００４７】
上記の構成からなる移動機構２９では、前記駆動手段４０によって雄ねじ体３７をその軸心回りに回転させることで、突設部３６を有する保持部２８を雄ねじ体３７の軸心方向、すなわちＸ方向に動かすことができる。このとき、前記突設部３６は、前記ガイド体３８によってガイドされ、かつ前記付勢手段３９によって付勢されてバックラッシュが生じない状態となっていることから、がたついたりすることなく、滑らかにＸ方向に動くことになる。
【００４８】
また、前記駆動手段４６によって雄ねじ体４３をその軸心回りに回転させることで、突設部４２を有する第一機構３４，保持部２８およびセル３を雄ねじ体４３の軸心方向、すなわちＹ方向に動かすことができる。このとき、前記突設部４２は、前記ガイド体４４によってガイドされ、かつ前記付勢手段４５によって付勢されてバックラッシュが生じない状態となっていることから、がたついたりすることなく、滑らかにＹ方向に動くことになる。
【００４９】
上記の構成からなるセルホルダ３０では、セル３を、その左右辺部のいずれか一方と上辺部とを挟まない状態で保持することができるので、セル３の広い領域に対して集光レーザ光を照射させて測定することが可能となる。
【００５０】
そして、上記の構成からなるセルホルダ３０を有する粒子径分布測定装置Ｄでは、測定開始と同時に、前記セル３を動かし始めるのであり、測定終了までに、セル３の測定可能な領域全体にわたって偏ることなく集光レーザ光を照射するように、セル３が動かされ続けることになる。
【００５１】
ここで、前記セル３の動かし方としては、例えば、集光レーザ光がセル３に対してジグザグ状に照射されるように動かしてもよいし、集光レーザ光がセル３に対してほぼ渦巻き状に照射されるように動かしてもよい。
【００５２】
そして、上記のように集光レーザ光をセル３に照射することで蓄積されたデータを、最後に平均化することで粒子径分布の値を得るようにすればよい。
【００５３】
上記の構成からなるセルホルダ３０を用いて測定を行えば、セル３の広い領域に対して集光レーザ光を照射して測定することができ、得られる測定データの量も多くなることから、測定データを平均化して得られる粒子径分布の正確性が上昇し、測定の再現性を向上させることが可能となる。
【００５４】
なお、測定開始から測定終了までセル３を動かし続けずに、セル３を間欠的に動かし、セル３が動いている間は測定を行わず、止まっている間のみ測定を行うようにしてもよい。
【００５５】
また、前記セル３の移動は、上記駆動手段４０，４６を用いて自動的に行ってもよいが、手動で行うようにしてもよい。
【００５６】
さらに、セル３をＸ方向およびＹ方向に動かす構成に代えて、例えば、前記セル３を、前記照射部４から照射される光の光軸と平行な軸の回りに回転させるようにしてもよく、また、セル３を動かさずに測定してもよい。
【００５７】
次に、前記セル３を有する粒子径分布測定装置Ｄにおけるサンプリング方法について説明する。
まず、複数枚貼り合わせた状態の前記フィルム体１，１…、すなわちサンプリングシートＡをセル３に保持させ、さらにこのセル３をセルホルダ３０の保持部２８にセットする。そして、前記フィルム体１にサンプルＳを付着させていない状態のセル３に対して、前記照射部４から集光レーザ光を照射し、ブランク値を測定する。その後、図４（Ａ）に示すように、最も前側にあるフィルム体１の粘着面部１ａにサンプルＳを振りかけるなどして付着させ、測定を行う。そして、このようにして求めた測定値とブランク値とに基づいて、サンプルＳの粒子径分布が得られるのである。
【００５８】
なお、前記測定値およびブランク値を測定するときに、前記セルホルダ３０によってセル３を照射部４からの光の光軸を法面とする平面上で適宜に動かすことにより、上述したセル３を動かして測定することによって生じる効果が得られる。
【００５９】
一回測定が終了すれば、図４（Ｂ）に示すように、最も前側にある使用済みのフィルム体１を剥がして、図４（Ｃ）に示すように、新たなフィルム体１を前側に露出させる。そして、ブランク値を測定した後、サンプルＳを最も前側にあるフィルム体１の粘着面部１ａにサンプルＳを振りかけるなどして付着させ、測定を行い、このようにして求めた測定値とブランク値とに基づいて、サンプルＳの粒子径分布を得るという手順を繰り返すのである。
【００６０】
上述したように、本発明の粒子径分布測定装置Ｄならびにこの装置Ｄに用いられるサンプリング方法では、セル３にサンプリングシートＡを保持させておき、測定毎に使用済みのフィルム体１を剥がして、新たに測定に用いるフィルム体１にサンプルＳを付着させるようにしているのであり、前記フィルム体１の粘着面部１ａは、フィルム体１，１同士を簡単に剥離させることができる程度に接合する役割と、フィルム体１にサンプルＳを付着させる役割とを果たすのである。
【００６１】
上記の構成からなる粒子径分布測定装置Ｄならびにこの装置Ｄに用いられるサンプリング方法およびサンプリングシートＡによれば、サンプルＳをフィルム体１の粘着面部１ａに付着させた状態で測定を行うことから、サンプルＳが比重の大きい粒子を含んでいた場合であってもその測定を正確に行うことができるだけでなく、少量のサンプルＳのみでもその測定を行うことができるのである。
【００６２】
また、サンプルＳを測定可能な状態にするための準備としては、使用済みのフィルム体１を剥がして、新たに露出したフィルム体１にサンプルＳを振りかけるなどして付着させるとともに、サンプリングシートＡを前記ホルダ２に保持させるだけでよいことから、サンプルＳを分散媒中に分散させたり、媒質に混ぜたりする場合に比べて、非常に簡単にかつ短時間でその準備を行うことができるとともにその準備に大がかりな装置が必要とならない。
【００６３】
さらに、前記分散媒や媒質などを用いずに測定を行えることから、測定後には、廃液などの処理をする必要がないのであり、サンプルＳとフィルム体１とのみを処理すればよく、後始末を簡単に行うことができる。特に、サンプルＳの回収が不要な場合には、フィルム体１を使い捨てとすることで、測定後の後始末を非常に簡単に行うことができる。
【００６４】
なお、一枚のフィルム体１の粘着面部１ａに複数種類のサンプルＳを互いに隔離した状態で付着させ、測定時にこのフィルム体１を保持したセル３をセルホルダ３０によって適宜に移動させるようにすれば、同一・一枚のフィルム体１によって複数種類のサンプルＳの測定を行うことが可能となり、測定の効率をさらに上昇させることも可能となる。この場合、前記粘着面部１ａを一枚のフィルム体１の複数領域に分けて形成するようにしてもよい。
【００６５】
また、前記フィルム体１に対してサンプルＳを付着させる作業は、作業者などが手作業で行ってもよいし、機械的・自動的に行うようにしてもよく、さらに、前記作業は、サンプリングシートＡをホルダ２に保持させた状態で行ってもよいし、ホルダ２から外した状態で行ってもよい。
【００６６】
さらに、複数枚貼り合わせた状態のフィルム体１，１…のそれぞれに、番号や記号などが記載される記載部分（図示せず）を設けるようにすれば、作業者などがこの記載部分を見ることでフィルム体１，１…の区別を簡単につけることができ、サンプルＳの取り扱いに関するトラブルなどの発生を防止・低減することが可能となる。なお、前記記載部分は、例えば、各フィルム体１の縁部や前記剥がし代１ｂなどに設ければよい。
【００６７】
また、使用済みのフィルム体１を剥がし、新たに露出したフィルム体１にサンプルＳを付着させる前に、前記粘着面部１ａを形成する接着剤を塗布して、粘着面部１ａの粘着力を強化したり、粘着面部１ａを広げるようにしてもよい。
【００６８】
【発明の効果】
上記の構成からなる本発明によれば、比重の大きい粒子を含むサンプルの測定を正確に行うことができ、また、サンプルを測定可能な状態にするための準備を簡単にかつ短時間で行うことができるとともに、その準備に大がかりな装置を必要とせず、さらに、少量のサンプルのみで測定を行うことができる粒子径分布測定装置ならびに粒子径分布測定装置に用いるサンプリング方法およびサンプリングシートを提供することが可能となる。
【図面の簡単な説明】
【図１】本発明の一実施例に係る粒子径分布測定装置の構成を概略的に示す説明図である。
【図２】（Ａ）および（Ｂ）は、上記実施例におけるセルの構成を概略的に示す斜視図および縦断面図である。
【図３】上記実施例におけるセルホルダの構成を概略的に示す斜視図である。
【図４】（Ａ），（Ｂ）および（Ｃ）は、上記実施例におけるサンプリング方法を概略的に示す説明図である。
【符号の説明】
１…フィルム体、１ａ…粘着面部、２…ホルダ、３…セル、４…照射部、５…検出手段、Ｄ…粒子径分布測定装置、Ｓ…サンプル。
【図１】
0004354132.tif 000002
【図２】
0004354132.tif 000003
【図３】
0004354132.tif 000004
【図４】
0004354132.tif 000005